【手続補正書】
【提出日】平成20年12月17日(2008.12.17)
【手続補正１】
【補正対象書類名】特許請求の範囲
【補正対象項目名】全文
【補正方法】変更
【補正の内容】
【特許請求の範囲】
【請求項１】
色彩光源によって生成された光を透過させるための光学装置であって、前記光は複数の波長のスペクトルを有し、前記装置は複数の光学器具を含み、前記複数の光学器具の各光学器具は、少なくとも一つの回折入力光学素子を有するように形成された光透過性基材を有し、前記少なくとも一つの回折入力光学素子は、前記光のスペクトル部分を前記光透過性基材の中へ実質的に排他的に回折させ、前記光の前記部分が内部全反射を介して前記光透過性基材内で伝搬するように設計されかつ構築され、前記光の各スペクトル部分は前記スペクトルのサブスペクトルに対応し、前記光の異なるスペクトル部分が異なる光透過性基材中で伝搬する、光学装置。
【請求項２】
前記光透過性基材は少なくとも一つの回折出力光学素子を有するようにさらに形成され、前記少なくとも一つの回折出力光学素子は、光のそれぞれの部分を前記光透過性基材の外へ回折する一方、光の他の部分が最小の回折でまたは回折なしで前記少なくとも一つの回折出力光学素子を通過することを可能にするように設計されかつ構築される、請求項１に記載の装置。
【請求項３】
ユーザに色彩画像を提供するためのシステムであって、前記画像が複数の波長のスペクトルを有する光によって構成され、前記システムが：
複数の光学器具を含む光学装置であって、前記光学器具は、前記スペクトルの異なるサブスペクトルに対応する光の異なる部分が異なる光学器具内を効率的に伝搬し、前記光学装置から出射してユーザの少なくとも第一の目に入るような態様で、光を分解しかつ再構成するように設計されかつ構築される光学装置；および
前記光学装置に画像を提供するための色彩画像生成装置
を含む、システムにおいて、前記複数の光学器具の各光学器具は、少なくとも一つの回折入力光学素子および少なくとも一つの回折出力光学素子を有するように形成された光透過性基材を有し、前記少なくとも一つの回折入力光学素子は、前記光のスペクトル部分を前記光透過性基材の中へ実質的に排他的に回折させ、前記光の前記部分が内部全反射を介して前記光透過性基材内で伝搬するように設計されかつ構築され、前記少なくとも一つの回折出力光学素子は、前記光の前記スペクトル部分を前記光透過性基材の外へ実質的に排他的に回折させるように設計されかつ構築されることを特徴とするシステム。
【請求項４】
各光学器具は、異なる平面と係合する平面状光学器具である、請求項１に記載の装置。
【請求項５】
前記少なくとも一つの回折入力光学素子は、光のそれぞれのスペクトル部分を前記光透過性基材の外へ回折する一方、光の他のスペクトル部分が最小の回折でまたは回折なしで前記少なくとも一つの出力光学素子を通過することを可能にするように設計されかつ構築される、請求項１に記載の装置。
【請求項６】
異なる光透過性基材の入力光学素子はそれらの間に少なくとも部分的重複を有する、請求項１に記載の装置。
【請求項７】
前記少なくとも一つの出力光学素子は、光のそれぞれの部分を前記光透過性基材の外へ回折する一方、光の他の部分が最小の回折でまたは回折なしで前記少なくとも一つの出力光学素子を通過することを可能にするように設計されかつ構築される、請求項３に記載のシステム。
【請求項８】
異なる光透過性基材の出力光学素子はそれらの間に少なくとも部分的重複を有する、請求項２に記載の装置。
【請求項９】
予め定められた水平視野を特徴とし、前記複数の光学器具の各光学器具も前記予め定められた水平視野を特徴とする、請求項１に記載の装置。
【請求項１０】
前記複数の光学器具は第一光学器具および第二光学器具を含む、請求項１に記載の装置。
【請求項１１】
前記複数の光学器具は第一光学器具、第二光学器具および第三光学器具を含む、請求項１に記載の装置。
【請求項１２】
複数の波長のスペクトルを有する光を透過させる方法であって、回折によって前記光を前記スペクトルの異なるサブスペクトルにそれぞれ対応する複数の部分へと分解し、そして前記光の各部分を異なる光透過性基材内で内部全反射を介して透過させることを含む、方法。
【請求項１３】
光透過性基材が、少なくとも一つの入力光学素子を有するように形成され、前記少なくとも一つの入力光学素子は、前記光のそれぞれの部分を前記光透過性基材の中へ回折させ、内部全反射を介して前記光透過性基材内での前記それぞれの部分の伝搬を可能にする、請求項１２に記載の方法。
【請求項１４】
前記複数の部分を再構成することをさらに含む、請求項１３に記載の方法。
【請求項１５】
前記再構成することは、前記光の各部分をそれぞれの光透過性基材の外へ回折することを含む、請求項１４に記載の方法。
【請求項１６】
各光透過性基材は少なくとも一つの出力光学素子を有するようにさらに形成され、前記少なくとも一つの出力光学素子は、光のそれぞれの部分を前記光透過性基材の外へ回折し、そして光の他の部分が最小の回折でまたは回折なしで前記少なくとも一つの出力光学素子を通過することを可能にする、請求項１５に記載の方法。
【請求項１７】
前記サブスペクトルは第一サブスペクトルおよび第二サブスペクトルを含む、請求項１２に記載の方法。
【請求項１８】
前記サブスペクトルは第一サブスペクトル、第二サブスペクトルおよび第三サブスペクトルを含む、請求項１２に記載の方法。
【請求項１９】
前記分解すること、透過させることおよび再構成することは、前記光を特徴付ける視野が維持されるような態様で行われる、請求項１４に記載の方法。
【請求項２０】
前記最小の回折は１０％未満の回折効率によって特徴付けられる、請求項２に記載の装置。
【請求項２１】
各光学器具の前記少なくとも一つの入力光学素子および前記少なくとも一つの出力光学素子の各々は、光線が前記少なくとも一つの入力光学素子によって前記光学器具の中へ回折され、そして角度維持的態様で前記少なくとも一つの出力光学素子によって前記光学器具の外へ回折されるように設計されかつ構築される、請求項２に記載の装置。
【請求項２２】
各光学器具の各出力光学素子は、それによって回折される光の予め定められた部分の輝度不均一性を減少させるように設計されかつ構築される、請求項２に記載の装置。
【請求項２３】
前記出力光学素子は複数の区分を含み、前記複数の区分の各区分は異なる回折効率によって特徴付けられる、請求項２２に記載の装置。
【請求項２４】
前記複数の区分の前記回折効率は調和級数を形成する、請求項２３に記載の装置。
【請求項２５】
前記区分の数は、前記出力光学素子に沿って伝搬する間のそれぞれのサブスペクトルの光線の反射の特徴的な数に等しい、請求項２３に記載の装置。
【請求項２６】
前記少なくとも一つの出力光学素子は第一出力光学素子および第二出力光学素子を含む、請求項２に記載の装置。
【請求項２７】
前記少なくとも一つの入力光学素子の各々は独立した線形回折格子である、請求項１に記載の装置。
【請求項２８】
前記少なくとも一つの出力光学素子の各々は独立した線形回折格子である、請求項２に記載の装置。
【請求項２９】
前記少なくとも一つの入力光学素子の各々は独立した線形回折格子である、請求項２８に記載の装置。
【請求項３０】
前記少なくとも１つの入力光学素子の前記線形回折格子および前記少なくとも一つの出力光学素子の前記線形回折格子は、実質的に同一周期を有する、請求項２９に記載の装置。
【請求項３１】
前記少なくとも１つの入力光学素子の前記線形回折格子および前記少なくとも一つの出力光学素子の前記線形回折格子は、実質的に平行である、請求項２９に記載の装置。
【請求項３２】
前記光を視準するためのコリメータをさらに含む、請求項３に記載のシステム。
【請求項３３】
前記コリメータは収束レンズ及び回折光学素子からなる群から選択される、請求項３２に記載のシステム。
【請求項３４】
前記水平視野は少なくとも１６度である、請求項９に記載の装置。